(57)【要約】【課題】本発明は、電源装置に関し、スイッチング素子へ供給されるパルス信号のパルスごとの電流異常に起因する機器の故障を防止することを目的とする。【解決手段】低圧バッテリ１２と高圧バッテリ１４との間のバッテリ電圧の変換を行うべくデューティ駆動されるパワートランジスタ２０〜２６を設ける。低圧バッテリ１２とパワートランジスタ２０，２２との間に流れる電流、及び、高圧バッテリ１４とパワートランジスタ２４，２６との間に流れる電流をそれぞれ検出する。それぞれの電流を抵抗による分圧値で定まる所定のしきい値と比較する。電流と比較されるしきい値を起動後にコンデンサＣ１を用いて抵抗による分圧値から徐々に上昇させる。そして、電流がしきい値を超える過電流状態にある場合、パワートランジスタ２０〜２６のスイッチング動作を停止・禁止する。【選択図】        図１
2004229476.tif 000002
【特許請求の範囲】
【請求項１】
負荷へ供給される電源電圧を変換すべくスイッチング制御されるスイッチング素子と、前記スイッチング素子をオン・オフのパルス信号によりスイッチング制御する制御手段と、を備える電源装置であって、
電源から前記負荷へパルスごとに流れる電流を検出する電流検出手段と、
前記電流検出手段により検出される前記電流がしきい値以上である場合に、前記制御手段による前記スイッチング素子のスイッチング動作を停止する動作制限手段と、を備えることを特徴とする電源装置。
【請求項２】
電源起動が開始された後に前記しきい値を徐変する徐変手段を備えることを特徴とする請求項１記載の電源装置。
【請求項３】
前記徐変手段は、電源起動時に前記しきい値を大きくすることを特徴とする請求項２記載の電源装置。
【請求項４】
前記動作制限手段は、電源起動が完了した後、前記電流検出手段により検出される前記電流が電源起動時における第１のしきい値よりも大きな第２のしきい値以上である場合に、前記制御手段による前記スイッチング素子のスイッチング動作を禁止する過電流制御を実行することを特徴とする請求項１乃至３の何れか一項記載の電源装置。
【発明の詳細な説明】
【０００１】
【発明の属する技術分野】
本発明は、電源装置に係り、特に、負荷へ供給される電源電圧を変換すべくスイッチング制御されるスイッチング素子と、前記スイッチング素子をオン・オフのパルス信号によりスイッチング制御する制御手段と、を備える電源装置に関する。
【０００２】
【従来の技術】
従来より、電源投入時に負荷の異常を検知する電源装置が知られている（例えば、特許文献１参照）。この電源装置においては、負荷に流れる電流が検出され、その電流検出値と目標電流値との偏差が所定値内にないときに負荷に異常が生じていると判定される。そして、かかる手法により負荷の異常が検知されると、負荷に流れる電流が制限される。このため、上記従来の電源装置によれば、電源投入時における異常電流から負荷および電源を保護することができる。
【０００３】
【特許文献１】
特開平６−４３９４６公報
【０００４】
【発明が解決しようとする課題】
ところで、電源と負荷との間に、負荷へ供給される電源電圧を変換するために、オン・オフのパルス信号によりデューティ制御されるスイッチング素子を設けることがある。かかる構成においては、スイッチング素子がデューティ制御される際、そのスイッチング素子に流れる電流が平均的にはあまり大きくない一方で、デューティオン時に一時的に著しく大きくなることがある。このように一時的ではあってもスイッチング素子に大電流が流れると、その異常電流に起因してスイッチング素子等の機器を故障させる等の不都合が生ずる。しかしながら、上記従来の装置では、パルス信号に起因する異常を想定しておらず、上記した不都合を解消させることはできなかった。
【０００５】
本発明は、上述の点に鑑みてなされたものであり、スイッチング素子へ供給されるパルス信号の１パルスで負荷に流れる電流に異常が生ずる際にスイッチング素子の動作を停止・禁止することにより、パルスごとの電流異常に起因する機器の故障を防止ことが可能な電源装置を提供することを目的とする。
【０００６】
【課題を解決するための手段】
上記の目的は、請求項１に記載する如く、負荷へ供給される電源電圧を変換すべくスイッチング制御されるスイッチング素子と、前記スイッチング素子をオン・オフのパルス信号によりスイッチング制御する制御手段と、を備える電源装置であって、
電源から前記負荷へパルスごとに流れる電流を検出する電流検出手段と、
前記電流検出手段により検出される前記電流がしきい値以上である場合に、前記制御手段による前記スイッチング素子のスイッチング動作を停止する動作制限手段と、を備える電源装置により達成される。
【０００７】
本発明において、スイッチング素子がパルス信号によりスイッチング制御される際、電源から負荷へそのパルスごとに流れる電流が検出される。そして、その電流がしきい値以上であると、スイッチング素子のスイッチング動作が停止される。このため、パルスごとの大電流が流れることに起因するスイッチング素子等の機器の故障が防止される。
【０００８】
尚、請求項２に記載する如く、請求項１記載の電源装置において、電源起動が開始された後に前記しきい値を徐変する徐変手段を備えることとすれば、電源起動時にソフトスタートを実現することができる。
【０００９】
この場合、請求項３に記載する如く、請求項２記載の電源装置において、前記徐変手段は、電源起動時に前記しきい値を大きくすることとすればよい。
【００１０】
また、請求項４に記載する如く、請求項１乃至３の何れか一項記載の電源装置において、前記動作制限手段は、電源起動が完了した後、前記電流検出手段により検出される前記電流が電源起動時における第１のしきい値よりも大きな第２のしきい値以上である場合に、前記制御手段による前記スイッチング素子のスイッチング動作を禁止する過電流制御を実行することとすれば、電源起動完了後における過電流制御の実行を、電源起動時における電流制限制御を行う回路を用いて実現することができる。
【００１１】
【発明の実施の形態】
図１は、本発明の一実施例である電源装置１０を備えるシステムの構成図を示す。図１に示す如く、本実施例において、電源装置１０は、２つの二次バッテリ１２，１４を備えている。二次バッテリ１２は約１２〜１４Ｖ程度の電圧を有する例えば鉛バッテリ等の低圧バッテリであり、一方、二次バッテリ１４は約１４〜１６Ｖ程度の電圧を有する例えばリチウムイオンバッテリ等の高圧バッテリである。以下、二次バッテリ１２を低圧バッテリ１２と、二次バッテリ１４を高圧バッテリ１４と、それぞれ称す。
【００１２】
低圧バッテリ１２の−端子および高圧バッテリ１４の−端子は、それぞれ接地されている。低圧バッテリ１２の＋端子には、車両動力であるエンジンの回転により発電する発電機としてのオルタネータ（図示せず）およびエアコン等の補機（図示せず）が接続されている。オルタネータは、発電したエネルギをエアコン等の補機や低圧バッテリ１２又は後述のＤＣ／ＤＣコンバータを介して高圧バッテリ１４に供給することにより、補機を作動させ、また、低圧バッテリ１２又は高圧バッテリ１４を充電する。尚、かかるオルタネータは、高圧バッテリ１２側に接続されていることとしてもよい。
【００１３】
低圧バッテリ１２の＋端子と高圧バッテリ１４の＋端子との間には、両バッテリ間で双方向に充電するための電圧制御器である直流−直流変換器（以下、ＤＣ／ＤＣコンバータと称す）１６が介在されている。ＤＣ／ＤＣコンバータ１６は、低圧バッテリ１２の電圧を昇圧変換して電力を高圧バッテリ１４へ供給する昇圧回路と、高圧バッテリ１４の電圧を降圧変換して電力を低圧バッテリ１２へ供給する降圧回路と、を有している。
【００１４】
ＤＣ／ＤＣコンバータ１６は、昇圧回路および降圧回路に内蔵された４つのパワートランジスタ２０〜２６を備えている。パワートランジスタ２０〜２６はそれぞれ、Ｎチャネル型のＭＯＳトランジスタであり、スイッチング動作を行うスイッチング素子として機能する。パワートランジスタ２０のドレインは、低圧バッテリ１２の＋端子側に接続されている。また、そのソースは、パワートランジスタ２２のドレインに接続されていると共に、チョークコイル２８の一端に接続されている。パワートランジスタ２２のソースは接地されている。更に、パワートランジスタ２４のドレインは、高圧バッテリ１４の＋端子側に接続されている。また、そのソースは、パワートランジスタ２６のドレインに接続されていると共に、チョークコイル２８の他端に接続されている。パワートランジスタ２６のソースは接地されている。
【００１５】
各パワートランジスタ２０〜２６のゲートには、当該トランジスタ２０〜２６をスイッチング駆動するドライバ３０〜３６が接続されている。ドライバ３０〜３６には、スイッチング駆動すべきパワートランジスタ２０〜２６を決定すると共に、電圧変換が適切に行われるようにドライバ３０〜３６に指令を与えるスイッチング制御部３８が接続されている。スイッチング制御部３８には、ＤＣ／ＤＣコンバータ１６の起動を許可するための起動信号が供給される。スイッチング制御部３８は、起動信号がオン状態にある場合に、ＤＣ／ＤＣコンバータ１６により低圧バッテリ１２側の出力電圧を制御すべきか或いは高圧バッテリ１４側の出力電圧を制御すべきかを決定し、その決定した出力電圧を目標電圧となるようにフィードバック制御し、その出力電圧が目標電圧に一致するようなデューティ値で適当なパワートランジスタ２０〜２６をスイッチング駆動させる。
【００１６】
低圧バッテリ１２の＋端子とパワートランジスタ２０のドレインとの間には所定の抵抗値を有する抵抗４０が、また、高圧バッテリ１４の＋端子とパワートランジスタ２４のドレインとの間には所定の抵抗値を有する抵抗４２が、それぞれ介在されている。抵抗４０は、その両端に生ずる電圧（本実施例において、この電圧は、低圧バッテリ１２からパワートランジスタ２０側へ向かう方向を正方向とする。）に基づいて低圧バッテリ１２とパワートランジスタ２０，２２側との間に流れる電流を検出する電流検出回路４４を構成している。また、抵抗４２は、その両端に生ずる電圧（本実施例において、この電圧は、高圧バッテリ１４からパワートランジスタ２４側へ向かう方向を正方向とする。）に基づいて高圧バッテリ１４とパワートランジスタ２４，２６側との間に流れる電流を検出する電流検出回路４６を構成している。
【００１７】
各電流検出回路４４，４６には、過電流検出部５０が接続されている。過電流検出部５０には、電流検出回路４４，４６の抵抗４０，４２の両端に生ずる電圧が供給される。過電流検出部５０は、抵抗４０における電圧に基づいて低圧バッテリ１２とパワートランジスタ２０，２２側との間に流れる過電流を検出すると共に、抵抗４２における電圧に基づいて高圧バッテリ１４とパワートランジスタ２４，２６側との間に流れる過電流を検出する。
【００１８】
図２は、本実施例における過電流検出部５０の内部構成図を示す。過電流検出部５０は、４つのコンパレータ５２−１〜５２−４を備えている。以下、順に第１コンパレータ５２−１、第２コンパレータ５２−２、第３コンパレータ５２−３、及び第４コンパレータ５２−４と称す。第１コンパレータ５２−１の反転入力端子及び第２コンパレータ５２−２の非反転入力端子には、電流検出回路４４の抵抗４０の両端に生ずる電圧が供給されている。また、第３コンパレータ５２−３の反転入力端子及び第４コンパレータ５２−４の非反転入力端子には、電流検出回路４６の抵抗４２の両端に生ずる電圧が供給されている。
【００１９】
第１コンパレータ５２−１の非反転入力端子及び第３コンパレータ５２−３の非反転入力端子には、抵抗Ｒ１を介して電源端子が接続されていると共に、コンデンサＣ１を介して接地端子が接続されている。コンデンサＣ１には、互いに直列接続された抵抗Ｒ２およびＮチャネル型ＭＯＳトランジスタ（以下、単にＭＯＳトランジスタと称す）Ｑ１が並列に設けられている。ＭＯＳトランジスタＱ１は、ドレインが抵抗Ｒ２に接続され、ソースが接地された構成を有している。また、ＭＯＳトランジスタＱ１のゲートには、上記したＤＣ／ＤＣコンバータ１６の起動を許可するための起動信号を反転した信号が供給される。この起動信号は、ＤＣ／ＤＣコンバータ１６の起動が許可される際にオン状態となり、禁止される際にオフ状態となる。このため、ＭＯＳトランジスタＱ１のゲートに入力される信号は、ＤＣ／ＤＣコンバータ１６の起動が許可される際にオフ状態となり、禁止される際にオン状態となる。
【００２０】
第１コンパレータ５２−１の非反転入力端子及び第３コンパレータ５２−３の非反転入力端子には、また、抵抗Ｒ３を介してオペアンプ５４の反転入力端子が接続されている。オペアンプ５４の非反転入力端子は接地されている。オペアンプ５４の反転入力端子には、抵抗Ｒの抵抗値と同一の抵抗値を有する抵抗Ｒ４を介して出力端子が接続されている。オペアンプ５４の出力端子は、第２コンパレータ５２−２の反転入力端子に接続されていると共に、第４コンパレータ５２−４の反転入力端子に接続されている。
【００２１】
かかる過電流検出部５０において、ＤＣ／ＤＣコンバータ１６の起動が許可される前は、起動信号がオフ状態にあるので、ＭＯＳトランジスタＱ１はオンされる。この場合、第１コンパレータ５２−１の非反転入力端子および第３コンパレータ５２−３の非反転入力端子には、抵抗Ｒ１と、抵抗Ｒ２と抵抗Ｒ３とによる並列抵抗との正側分圧値が供給されると共に、第２コンパレータ５２−２の反転入力端子および第４コンパレータ５２−４の反転入力端子には、第１及び第３コンパレータ５２の非反転入力端子に供給される分圧値を−１倍した負側分圧値が供給される。
【００２２】
上記の如く、本実施例において、第１コンパレータ５２−１の反転入力端子及び第２コンパレータ５２−２の非反転入力端子に供給される電圧は、低圧バッテリ１２からパワートランジスタ２０側へ向かう方向を正方向とする電圧であり、また、第３コンパレータ５２−３の反転入力端子及び第４コンパレータ５２−４の非反転入力端子に供給される電圧は、高圧バッテリ１４からパワートランジスタ２４側へ向かう方向を正方向とする電圧である。
【００２３】
従って、ＤＣ／ＤＣコンバータ１６の起動が許可される前、第１コンパレータ５２−１は、低圧バッテリ１２からパワートランジスタ２０側に流れる電流（すなわち、低圧バッテリ１２の放電電流）と所定のしきい値とを比較し、かかる電流がしきい値よりも小さい場合にハイ信号を出力し、しきい値よりも大きい場合にロー信号を出力する。また、第２コンパレータ５２−２は、パワートランジスタ２０側から低圧バッテリ１２へ流れる電流（すなわち、低圧バッテリ１２の充電電流）と所定のしきい値とを比較し、かかる電流がしきい値よりも小さい場合（本実施例において、低圧バッテリ１２の充電電流は負値であるので、正確には、負値であるしきい値よりも大きい場合）にハイ信号を出力し、しきい値よりも大きい場合（正確には、負値であるしきい値よりも小さい場合）にロー信号を出力する。
【００２４】
同様に、第３コンパレータ５２−３は、高圧バッテリ１４からパワートランジスタ２４側に流れる電流（すなわち、高圧バッテリ１４の放電電流）と所定のしきい値とを比較し、かかる電流がしきい値よりも小さい場合にハイ信号を出力し、しきい値よりも大きい場合にロー信号を出力する。また、第４コンパレータ５２−４は、パワートランジスタ２４側から高圧バッテリ１４へ流れる電流（すなわち、高圧バッテリ１４の充電電流）と所定のしきい値とを比較し、かかる電流がしきい値よりも小さい場合（本実施例において、高圧バッテリ１２の充電電流は負値であるので、正確には、負値であるしきい値よりも大きい場合）にハイ信号を出力し、しきい値よりも大きい（正確には、負値であるしきい値よりも小さい）場合にロー信号を出力する。
【００２５】
また、過電流検出部５０において、ＤＣ／ＤＣコンバータ１６の起動が許可されると、起動信号がオン状態となるので、ＭＯＳトランジスタＱ１はオフされる。この場合、コンデンサＣ１の充電が開始され、コンデンサＣ１の両端に生ずる電圧が増大するので、第１コンパレータ５２−１の非反転入力端子および第３コンパレータ５２−３の非反転入力端子に供給される正側電圧が徐々に増大し、第２コンパレータ５２−２の反転入力端子および第４コンパレータ５２−４の反転入力端子に供給される負側電圧が徐々に負側に増大する。
【００２６】
従って、ＤＣ／ＤＣコンバータ１６の起動が開始された後、第１コンパレータ５２−１は、低圧バッテリ１２の放電電流を徐変するしきい値と比較し、かかる電流がしきい値よりも小電流である場合にハイ信号を出力し、しきい値よりも大電流である場合にロー信号を出力する。また、第２コンパレータ５２−２は、低圧バッテリ１２の充電電流を徐変するしきい値と比較し、かかる電流がしきい値よりも小電流である場合にハイ信号を出力し、しきい値よりも大電流である場合にロー信号を出力する。
【００２７】
同様に、第３コンパレータ５２−３は、高圧バッテリ１４の放電電流を徐変するしきい値と比較し、かかる電流がしきい値よりも小電流である場合にハイ信号を出力し、しきい値よりも大電流である場合にロー信号を出力する。また、第４コンパレータ５２−４は、高圧バッテリ１４の充電電流を徐変するしきい値と比較し、かかる電流がしきい値よりも小電流である場合にハイ信号を出力し、しきい値よりも大電流である場合にロー信号を出力する。
【００２８】
このように、第１及び第２コンパレータ５２によれば、低圧バッテリ１２とパワートランジスタ２０側との間に流れる電流が所定の範囲内にあるか否かに応じた信号が出力される。また、第３及び第４コンパレータ５２によれば、高圧バッテリ１４とパワートランジスタ２４側との間に流れる電流が所定の範囲内にあるか否かに応じた信号が出力される。過電流検出部５０は、低圧バッテリ１２の放電電流および充電電流並びに高圧バッテリ１４の放電電流および充電電流の何れかがしきい値よりも大きな過電流である場合にロー信号を出力し、過電流が生じていない場合にハイ信号を出力する。
【００２９】
第１〜第４コンパレータ５２の出力端子は、上記したスイッチング制御部３８に接続されている。スイッチング制御部３８は、第１〜第４コンパレータ５２の出力がすべてハイ状態である場合に、低圧バッテリ１２及び高圧バッテリ１４の放電電流および充電電流の何れも過電流でないとしてパワートランジスタ２０〜２６のデューティ駆動を許可し、一方、第１〜第４コンパレータ５２の何れ一の出力がロー状態である場合に、低圧バッテリ１２及び高圧バッテリ１４の放電電流および充電電流の何れかが過電流であるとしてパワートランジスタ２０〜２６のデューティ駆動を停止・禁止する。
【００３０】
図３は、本実施例において低圧バッテリ１２及び高圧バッテリ１４の放電電流および充電電流として流れる電流波形を説明するための図を示す。本実施例において、ＤＣ／ＤＣコンバータ１６の有するパワートランジスタ２０〜２６は、図３（Ａ）に示す如く、一定の周期でオン及びオフがパルス的に繰り返されるようにデューティ駆動される。かかる構成においては、低圧バッテリ１２及び高圧バッテリ１４におけるバッテリ電圧の状態やパワートランジスタ２０，２４のソース側端子の短絡，抵抗４０，４２の両端の短絡等によっては、パワートランジスタ２０，２４のデューティオン時に、低圧バッテリ１２及び高圧バッテリ１４の放電電流および充電電流として流れる電流が、図３（Ｂ）に示す如く、平均的には小さくても、瞬間的には過大となることがある。
【００３１】
本実施例においては、低圧バッテリ１２及び高圧バッテリ１４の放電電流および充電電流の何れかがしきい値を超える過電流状態にある場合、その直後にパワートランジスタ２０〜２６のデューティ駆動が停止・禁止される。具体的には、ＤＣ／ＤＣコンバータ１６の起動前においては、パワートランジスタ２０〜２６のデューティ駆動が禁止され、その起動が禁止される。また、ＤＣ／ＤＣコンバータ１６の起動後においては、パワートランジスタ２０〜２６のデューティがオンからオフへ切り換わり、所望のデューティ値によるデューティ駆動が停止され、所望値よりも小さいデューティ値によるデューティ駆動が継続される。
【００３２】
かかる構成によれば、パワートランジスタ２０〜２６のデューティオン時にパルス的な過電流が流れようとする際、そのパワートランジスタ２０〜２６のスイッチング動作が停止されるので、そのパルス的な過電流の流通が阻止され、早期の電流制限が実現される。このため、低圧バッテリ１２及び高圧バッテリ１４の状態変化や各種の短絡，負荷変動等が生じた場合にも、パワートランジスタ２０〜２６のデューティオン時にパルス的な過電流が流れることに起因する、低圧バッテリ１２及び高圧バッテリ１４並びにパワートランジスタ２０〜２６等の故障を防止することができ、それらの保護を図ることができる。
【００３３】
また、本実施例においては、ＤＣ／ＤＣコンバータ１６の起動時、過電流の有無を判定するためのしきい値が大電流側へ徐変される。この場合には、パワートランジスタ２０〜２６のデューティ値が所望のデューティ値へ向けて変更されることとなる。従って、本実施例の構成においては、ＤＣ／ＤＣコンバータ１６の起動時、上記したしきい値の徐変により、過電流の流通を阻止しつつ低圧バッテリ１２の出力電圧又は高圧バッテリ１４の出力電圧を徐々に目標電圧に近づけるソフトスタートを実現することができる。
【００３４】
本実施例において、ＤＣ／ＤＣコンバータ１６の起動制御は、起動前を含めて起動信号が入力される直後は、抵抗Ｒ１と、抵抗Ｒ２と抵抗Ｒ３とによる並列抵抗との分圧値をしきい値として実行され、また、起動信号が入力された後は、その分圧値から徐々に上昇する値をしきい値として実行される。従って、起動時に所定の過電流に起因する故障の発生が防止されるように上記した分圧値を設定し、コンデンサＣ１の容量を適当に設定することとすれば、上記したソフトスタートを適切に行うことができると共に、ＤＣ／ＤＣコンバータ１６の所望のデューティ値による起動の安定を早期に実現することができる。
【００３５】
また、本実施例において、コンデンサＣ１が満充電になると、以後、上記したしきい値は電源電圧に維持される。この場合には、一定値に維持された電流しきい値を用いてＤＣ／ＤＣコンバータ１６の起動制御が行われる。従って、本実施例によれば、ソフトスタートの完了後に過電流の流通を制限する過電流制御の実行をそのソフトスタートを実行する回路を用いて実現することができる。このため、ソフトスタート完了後に過電流制御を行ううえで別途に専用の回路を設けることは不要であり、回路の簡素化が図られる。
【００３６】
尚、上記の実施例においては、低圧バッテリ１２及び高圧バッテリ１４の何れか一方が特許請求の範囲に記載した「電源」に、低圧バッテリ１２及び高圧バッテリ１４の何れか他方が特許請求の範囲に記載した「負荷」に、パワートランジスタ２０〜２６が特許請求の範囲に記載した「スイッチング素子」に、スイッチング制御部が特許請求の範囲に記載した「制御手段」に、電流検出回路４４，４６が特許請求の範囲に記載した「電流検出手段」に、スイッチング制御部が過電流検出部５０からのロー信号の供給によりパワートランジスタ２０〜２６のデューティ駆動を停止することが特許請求の範囲に記載した「動作制限手段」に、過電流検出部５０のコンデンサＣ１及びＭＯＳトランジスタＱ１が特許請求の範囲に記載した「徐変手段」に、それぞれ相当している。
【００３７】
ところで、上記の実施例においては、低圧バッテリ１２と高圧バッテリ１４との間で双方向に電圧変換を行う構成に適用するものであるが、本発明はこれに限定されるものではなく、一方向に電圧変換を行うものであってもよく、また、バッテリ同士ではなく、発電機とバッテリとの間、補機等の負荷とバッテリとの間、又は補機等の負荷と電源としての発電機との間の電圧変換を行う構成に適用することも可能である。
【００３８】
また、上記の実施例においては、スイッチング素子としてＮチャネル型のＭＯＳトランジスタ２０〜２６を用いることとしているが、本発明はこれに限定されるものではなく、Ｐチャネル型のＭＯＳトランジスタやｎｐｎトランジスタ等を用いることとしてもよい。
【００３９】
【発明の効果】
上述の如く、請求項１記載の発明によれば、スイッチング素子にパルスごとの大電流が流れることに起因する機器の故障を防止することができる。
【００４０】
請求項２及び３記載の発明によれば、電源起動時にソフトスタートを実現することができる。
【００４１】
また、請求項４記載の発明によれば、電源起動完了後における過電流制御の実行を電源起動時における電流制限制御を行う回路を用いて実現することができる。これにより、電源起動完了後に過電流制御を行ううえで専用の回路を設けるのを不要とすることができる。
【図面の簡単な説明】
【図１】本発明の一実施例である電源装置を備えるシステムの構成図である。
【図２】本実施例における過電流検出部の内部構成図である。
【図３】本実施例において低圧バッテリ及び高圧バッテリの放電電流および充電電流として流れる電流波形を説明するための図である、
【符号の説明】
１０  電源装置
１２  低圧バッテリ
１４  高圧バッテリ
１６  直流−直流変換器（ＤＣ／ＤＣコンバータ）
２０〜２６  パワートランジスタ
３８  スイッチング制御部
４４，４６  電流検出回路
５０  過電流検出部
【図１】
2004229476.tif 000003
【図２】
2004229476.tif 000004
【図３】
2004229476.tif 000005